(57)【要約】【課題】簡単な構造により、筆記具の細径化を図りつつ円滑且つ確実にレフィールの出没を制御してなるものである。【解決手段】軸筒内壁面に沿って弾性を以て固持される環状係止部（１１）と、この環状係止部より軸筒先端方向に向かって一体に延設され、軸筒半径方向に開閉自在となる弾性係止片（１２）から形成されるとともに、クリップ（８）により押勢自在となる板状係止体（１０）と、ノック体（７）に一体に付設され、軸筒後方に向かって開口部（１４）を有する断面凹形状の受け部（１３）とからなり、使用時はノック体を打突することで、該板状係止体の弾性係止片の先端を受け部の周縁に乗り上げて係止してレフィールを軸筒外に突出した状態とし、また使用後はクリップを押圧して板状係止体の弾性係止片を軸筒半径方向に閉成させることで、再度弾性係止片を受け部内に没入させて、レフィールを軸筒内に収容する。【選択図】図３
2005144909.tif 000002
【特許請求の範囲】
【請求項１】
先端近傍内部にスプリングを配設すると共に、該スプリング内を一体となって挿通するレフィールを出没自在に内装する軸筒と、該軸筒内に内装するレフィールに軸筒後方より連接し、軸筒後方より出没自在に突出してなるノック体、及び該軸筒後方の外周面に穿設された窓部からその取付基部を軸筒内部に突出するように挿嵌して軸筒に一体に取り付けてなるクリップからなる筆記具において、
軸筒内壁面に沿って弾性を以て固持される環状係止部と、
この環状係止部より軸筒先端方向に向かって一体に延設され、軸筒半径方向に開閉自在となる薄板状の弾性係止片から形成される板状係止体と、
該ノック体に一体に付設され、軸筒後方に向かって開口部を有する断面凹形状の受け部とからなり、
更に軸筒内部において、該板状係止体の環状係止部あるいは弾性係止片の背面に対して、該クリップの裏面の取付基部を押勢自在に配設するものであって、
ノック体への打突で、軸筒内に配設されるスプリングを圧縮しながら受け部を前進させることで、該受け部内に保持されていた板状係止体の弾性係止片を受け部より脱出させ、該板状係止体の弾性により受け部周縁に乗り上げさせることで、レフィールを軸筒外に突出して保持し、
またクリップを押圧することにより、該板状係止体の弾性係止片を、軸筒半径内方向へ閉成させながら、軸筒内の圧縮されたスプリングの反発力により、該受け部をノック体方向に後退させることで該受け部内に案内し、レフィールを軸筒内に没入させてなる
筆記具におけるレフィール出没機構。
【発明の詳細な説明】
【技術分野】
【０００１】
この発明は、筆記具において、軸筒先端からのレフィールの出没を制御する出没機構に関するものである。
【背景技術】
【０００２】
従来、筆記具において、例えば、軸筒先端からのレフィールの出没を制御する出没機構として、軸筒内にローレット機構を内装し、ノック体への打突を繰り返すことで、筆記具における軸筒先端からレフィールの出没を制御している。
【０００３】
しかし、筆記具におけるレフィールの軸筒先端からの出没をローレット機構により行うものであっては、このレフィールの出没機構自体が複雑となることから製造コストの上昇や反復して使用する際に故障の原因となるおそれがあり、更には繰り返されるノック体への打突が騒音の原因となるおそれもある。
【０００４】
そのため、筆記具における軸筒先端からのレフィールの出没を円滑に制御できるように、クリップの裏面において一体となる内片を折曲することにより軸筒先端に向かって軸筒内側へ傾斜する案内面を形成すると共に、軸筒の後端より突出するノック体に軸筒先端に向かって軸筒内側へ傾斜する斜面を有する係止ピンを付設するものであって、ノック体の係止ピンが該案内面に当接しつつ前進又は後退できるように、クリップ止めより延設される薄片状のバネ部を該クリップの裏面に形成される案内面の裏側に挿嵌することで、クリップと軸筒を一体に取り付けてなるレフィール出没機構が提案されている。
このため筆記具の使用に際して、レフィールを軸筒より突出させようとする場合には、ノック体を軸方向に押勢することによって、ノック体はレフィールを軸筒内から突出させるためレフィールに外装されるスプリングを徐々に圧縮しつつ前進すると共に、ノック体の係止ピンはノック体の前進に伴って同方向に該クリップ取付け片の内片により形成される案内面を該係止ピンの斜面によって上方に押勢しながら前進する。そして、該ノック体の係止ピンが案内面を乗り越えると、レフィールの前進に伴って圧縮された該スプリングの反発力によりノック体が後退しようとするが、該内片を折曲することで形成される案内面の先端縁に対し該ノック体の係止ピンが係止するものとなる。このためレフィールは軸筒先端から突出した状態で保持されることとなる。
一方、使用後は、クリップの軸筒後方側端部を軸筒半径方向に押勢すると、ノック体の係止ピンを係止していた内片が浮き上がることで該係止ピンと案内面の先端縁との係止が解除される。このため圧縮されていたスプリングの反発力が開放されるので、レフィール共々ノック体は軸方向に後退してレフィールは軸筒内に没入してなるものである。
しかしながら、該係止ピンが案内面に対して常に前進するので摩耗が激しく長期間の使用に耐えられないおそれがあり、またレフィールの出没機構自体が複雑な構造をしているため、組み立て作業時の作業効率が低いものである。そして、上記出没機構を収納するに当たって軸筒内には最低限の大きさの空間が必要となるので、システム手帳などと共に携帯する筆記具に要求される細径化に十分に対応しきれないものである。
【特許文献１】特開２０００−２８９３８５号公報
【発明の開示】
【発明が解決しようとする課題】
【０００５】
解決しようとする問題点は、長期間に亘る使用の確保、複雑な構造によって生ずる製造コスト上昇の抑制及び筆記具の小径化である。
【課題を解決するための手段】
【０００６】
この発明は、クリップの取付基部を介して背面方向から押勢自在とされるとともに、軸筒内壁面において固持される板状係止体の弾性係止片を、ノック体に付設される受け部内に出入自在とすることで、レフィールに連接するノック体を固定自在とし、その結果レフィールの出没を制御してなることを主要な特徴とする。
【発明の効果】
【０００７】
この発明の筆記具におけるレフィール出没機構は、簡単な構造によりレフィールの出没を制御できるので、製造コストの上昇を抑制しうるとともに、筆記具の種類を問わず、筆記具の細径化に対しても容易に対応できるという優れた効果を有する。
【発明を実施するための最良の形態】
【０００８】
簡単な構造により、長期間の使用、製造コストの低減及び筆記具の細径化という目的を実現した。
【実施例１】
【０００９】
図１において示すのは、この発明の実施例である筆記具におけるレフィール出没機構を具える筆記具（１）であり、この筆記具（１）は、先端近傍内部にスプリング（３）を配設すると共に、該スプリング（３）内を一体になって挿通するレフィール（４）を先端の繰り出し孔（５）から出没自在となるよう内装する軸筒（２）と、該軸筒（２）内において、軸筒（２）先端の繰り出し孔（５）より出没自在に内装するレフィール（４）に軸筒（２）後方より連接し、該軸筒（２）後方より軸筒（２）外に出没自在に突出してなるノック体（７）、及び該軸筒（２）後方の外周面に穿設する窓部（６）よりその取付基部（９）を、軸筒（２）内部に突出するように挿嵌して軸筒（２）に一体に取り付けてなるクリップ（８）からなるものである。
【００１０】
そして、この筆記具（１）に具える筆記具におけるレフィール出没機構は、先ず、クリップ（８）の裏面側において対向する薄片よりなる取付基部（９）の軸筒（２）後方側において、その対向する両側端部を突出させてなる後方係合突起（９ａ）が軸筒（２）の窓部（６）端縁と緊密に係合するとともに、同じく取付基部（９）の軸筒（２）先端側において、その対向する両側端部を突出させてなる前方係合突起（９ｂ）が軸筒（２）の窓部（６）端縁と若干の余裕をもって係合することにより、クリップ（８）が軸筒（２）の窓部（６）に、押勢による可動可能に係合固定され、更に、該取付基部（９）の対向する両側中央部分は、軸筒（２）の窓部（６）より軸筒（２）内に挿入された位置で、それぞれ内側へ折り曲げられて押勢面（９ｃ）が形成される。一方、  軸筒（２）の内壁面（２’）に沿って弾性を以て固持される環状係止部（１１）と、この環状係止部（１１）より軸筒（２）先端方向に向かって一体に延設され、軸筒半径方向に開閉自在となる薄板状の弾性係止片（１２）から形成される板状係止体（１０）が、環状係止部（１１）をはさんで弾性係止片（１２）と逆側に突出する板状係止体係止片（１０ａ）の先端を、軸筒（２）の後端部においてノック体（７）を挿通して設けられ軸筒栓（２ａ）に当接させて設けられる。この時、軸筒（２）の窓部（６）に固定されたクリップ（８）の取付基部（９）に形成された押勢面（９ｃ）が、板状係止体（１０）の環状係止部（１１）から弾性係止片（１２）にかけての背面部（１１’）を押勢自在となるよう、位置決めされている。
又、ノック体（７）には、軸筒（２）後方に向かって開口部（１４）を有する断面凹形状の受け部（１３）が一体に付設され、ノック体（７）への押勢すなわちノック体（７）と一体となった受け部（１３）の軸筒（２）内における前進、あるいはスプリング（３）の弾撥力によるレフィール（４）の後退、すなわちレフィール（４）に連接する受け部（１３）の軸等（２）内における後退に応じて、前記板状係止体（１０）の弾性係止片（１２）の先端（１２’）が該受け部（１３）の開口部（１４）から離脱しあるいは該開口部（１４）へ嵌入した上、その離脱した際には、弾性係止片（１２）の先端（１２’）が該開口部（１４）の周縁（１５）に当接するよう位置決めがなされている。  （図２及び図３参照）。
【００１１】
この発明の筆記具におけるレフィール出没機構を具える実施例の筆記具（１）は以上のように構成されているので、筆記時においては、使用者がノック体（７）を打突すると、ノック体（７）は、このノック体（７）に連接するレフィール（４）を軸筒（２）前方へ向かって前進させる。
即ち、該レフィール（４）は、それが一体となって挿通する軸筒（２）の先端近傍内に配設されるスプリング（３）を圧縮しながら前進し、軸筒（２）先端の繰り出し孔（５）から外部へ突出することとなる。
このとき、筆記具（１）内に内装される該レフィール出没機構は次のように作動する。
即ち、先ず、当初ノック体（７）が軸筒（２）先端方向に前進することで、該ノック体（７）に一体に付設される受け部（１３）が、その開口部（１４）内に没入していた板状係止体（１０）の弾性係止片（１２）の先端（１２’）を受け部（１３）の内壁に当接させつつ摺動し、弾性係止片（１２）の先端（１２’）が該内壁の端縁に至ると、その先端（１２’）は受け部（１３）の開口部（１４）より該受け部（１３）外に離脱するものとなる。
次に、受け部（１３）外に離脱した板状係止体（１０）の弾性係止片（１２）の先端（１２’）は、その弾性及び環状係止部（１１）の弾性により軸筒半径方向外側に拡開し、一方、ノック体（７）は、該受け部（１３）と共にレフィール（４）が圧縮したスプリング（３）の軸筒後方に向かっての反発力により後退しようとする。
このため、拡開した板状係止体（１０）の弾性係止片（１２）の先端（１２’）は、該受け部（１３）の周縁（１５）に乗り上げるようにして係止するので、該受け部（１３）はそれ以上後退することが阻止されるものとなる。
尚、板状係止体（１０）自体、その板状係止体係止片（１０ａ）の先端が軸筒栓（２ａ）に当接されているため、軸筒（２）に対して位置がズレることなく、スプリング（３）の軸筒後方に向かっての反発力を受けることができる。
その結果、レフィール（４）は軸筒（２）外に突出したままの状態で保持され、当該筆記具（１）により筆記することが可能となるものである。
【００１２】
一方、筆記終了後は、使用者がクリップ（８）を軸筒半径方向に押圧すると、その押圧力は、軸筒（２）内部においてクリップ（８）の裏面の取付基部（９）に形成された押勢面（９ｃ）から、それに当接する板状係止体（１０）の環状係止部（１１）及び弾性係止片（１２）に伝えられる。
そして、この板状係止体（１０）に伝えられた押圧力によって、該板状係止体（１０）の弾性係止片（１２）の先端（１２’）は軸筒半径方向内側に閉成することとなる。
従って、受け部（１３）の周縁（１５）と、該板状係止体（１０）の弾性係止片（１２）の先端（１２’）との係止は解除されるものである。
そのため、一旦軸筒（２）内での後退を阻止されていたノック体（７）は、レフィール（４）が軸筒（２）外に突出する際に圧縮したスプリング（３）の反発力を以て、再び軸筒（２）内を後退するので、板状係止体（１３）の弾性係止片（１２）は、再度受け部（１３）内に没入することとなる。
その結果、レフィール（４）は完全に軸筒（２）内に没入して収容されるものとなる。
【００１３】
本実施例においては、クリップ（８）の裏面の取付基部（９）に形成された押勢面（９ｃ）が、板状係止体（１０）の環状係止部（１１）から弾性係止片（１２）にかけての背面部（１１’）を押勢するように位置決めされているが、いずれか一方のみの背面を押勢するものでもよい。
【図面の簡単な説明】
【００１４】
【図１】この発明の実施例であるレフィール出没機構を具える筆記具の全体斜視図である。
【図２】この発明の実施例であるレフィール出没機構を具える筆記具の軸筒軸方向への横断面図である。
【図３】この発明の実施例であるレフィール出没機構の分解斜視図である。
【図４】この発明の実施例であるレフィール出没機構を構成するクリップの軸筒への固定状況示す断面図である。
【図５】この発明の実施例であるレフィール出没機構のレフィール突出時の作動状態を示した図である。
【図６】この発明の実施例であるレフィール出没機構のレフィール収納時の作動状態を示す図である。
【符号の説明】
【００１５】
１    筆記具
２    軸筒
２ａ  軸筒栓
２’  内壁面
３    スプリング
４    レフィール
５    繰り出し孔
６    窓部
７    ノック体
８    クリップ
９    取付基部
９ａ  後方係合突起
９ｂ  前方係合突起
９ｃ  押勢面
１０    板状係止体
１１    環状係止部
１１’  背面部
１２    弾性係止片
１２’  先端
１３    受け部
１４    開口部
１５    周縁
【図１】
2005144909.tif 000003
【図２】
2005144909.tif 000004
【図３】
2005144909.tif 000005
【図４】
2005144909.tif 000006
【図５】
2005144909.tif 000007
【図６】
2005144909.tif 000008